(57)【要約】長板形状のセンサ（５）を横倒し状態で収納する上面が開口した本体ケース（２）の開口を開閉自在に覆う蓋（３）と、本体ケース（２）外にセンサ（５）を取り出すセンサ取り出し具（８）とを備える。センサ取り出し具（８）は、細長い形状とし、その一端側を本体ケース（２）の開口部（２ａ）一端側に接続して他端側をこの本体ケース（２）の底部と開口部（２ａ）上方まで上下方向に回動自在とする。さらに、センサ取り出し具（８）の他端側に設けたセンサ接着部（１０）は、本体ケース（２）の底面に対向する側に接着面（１１）を設ける。
2013073117.tif 000002
【特許請求の範囲】
【請求項１】
長板形状のセンサを横倒し状態で収納する上面に開口部を有する本体ケースと、この本体ケースの前記開口部を開閉自在に覆う蓋と、前記本体ケース外に前記センサを取り出すセンサ取り出し具とを備え、
前記センサ取り出し具は、細長い形状とし、その一端側を前記本体ケースの開口部一端側に接続し、他端側を前記本体ケースの底部から前記開口部の上方まで上下方向に回動自在とするとともに、この他端側にセンサ接着部を設け、このセンサ接着部には、前記本体ケースの底面に対向する側に接着面を設けたセンサ収納容器。
【請求項２】
前記センサ取り出し具は、その一端から他端までの長さを、前記センサの一端から他端までの長さより、短くした請求項１に記載のセンサ収納容器。
【請求項３】
前記センサ接着部は、平板状とした請求項１または２のいずれか一項に記載のセンサ収納容器。
【請求項４】
前記センサ取り出し具は、弾性体で形成した請求項１または２のいずれか一項に記載のセンサ収納容器。
【請求項５】
前記センサ取り出し具は、前記センサ接着部よりもこのセンサ取り出し具の一端側に、このセンサ接着部を前記本体ケースの底面とは反対側に持ち上げる折り曲げ部を形成し、この折り曲げ部から前記センサ接着部側を上下方向に回動自在にした請求項４に記載のセンサ収納容器。
【請求項６】
前記本体ケースは、前記センサ取り出し具を持ち上げる持ち上げ具を有し、この持ち上げ具の一方側を前記本体ケースの一端側内壁の前記開口部に接着するとともに、他方側を前記本体ケース内方側に折り曲げて持ち上げ取手とし、この持ち上げ取手と前記センサ取り出し具を連結した請求項１または２のいずれか一項に記載のセンサ収納容器。
【請求項７】
前記持ち上げ取手は、前記本体ケースの開口部上に配置した請求項６に記載のセンサ収納容器。
【請求項８】
前記本体ケースの他端側の内壁は、底面側よりも前記開口部側が外方側となる傾斜形状とした請求項１または２のいずれか一項に記載のセンサ収納容器。
【請求項９】
前記センサは、一端側の接続部と他端側の点着部を有する構成とし、このセンサを本体ケース内に、前記点着部を本体ケースの他端側として収納させた請求項１または２のいずれか一項に記載のセンサ収納容器。
【請求項１０】
前記センサ接着部は、前記センサ取り出し具の長手方向に直交する方向の幅を、前記センサの長手方向に直交する方向の幅よりも小さくした請求項１または２のいずれか一項に記載のセンサ収納容器。
【請求項１１】
前記センサ接着部は、前記センサ取り出し具の長手方向に直交する方向の幅を、前記センサの長手方向に直交する方向の幅よりも大きくした請求項１または２のいずれか一項に記載のセンサ収納容器。
【発明の詳細な説明】
【技術分野】
【０００１】
本発明は、たとえば血糖値を測定するセンサを収納するセンサ収納容器に関する物である。
【背景技術】
【０００２】
従来のセンサ収納容器は、長板形状のセンサを直立状態で複数枚収納する、上面に開口部を有する有底筒状の本体ケースと、この本体ケースの開口部を開閉自在に覆う蓋を備え、この本体ケースの底部を傾斜させた構成となっていた（たとえば特許文献１参照）。【０００３】
そして、本体ケースを倒すことにより、本体ケースの底部傾斜に従って複数枚のセンサが捌かれ、この捌かれた複数枚のセンサの内、一番上のセンサを一枚だけ本体ケースから取り出そうとしていた。【０００４】
この従来例における課題は、依然としてセンサを一枚だけ本体ケースから取り出すことが困難であるということであった。【０００５】
すなわち、この従来例によれば、センサ収納容器の本体ケースを倒すことにより、本体ケースの底部傾斜に従って重なっていた複数枚のセンサが捌かれる。その後、この捌かれた複数枚のセンサの内、一番上のセンサを一枚だけ本体ケースから取り出そうとしていた。【０００６】
この取り出し時には、一番上のセンサの上面を、指で押さえて本体ケース外へと引き出していくのであるが、この一番上のセンサの下にあるセンサも同時に押さえてしまう。このため、センサ同士の摩擦により、下にあるセンサも一緒に引き出してしまう。結論として、センサを一枚だけ本体ケースから取り出すことが難しい場合があった。
【先行技術文献】
【特許文献】
【０００７】
【特許文献１】特開２０１１−１１７９１２号公報
【発明の概要】
【０００８】
本発明のセンサ収納容器は、長板形状のセンサを横倒し状態で収納する上面に開口部を有する本体ケースと、この本体ケースの開口部を開閉自在に覆う蓋と、本体ケース外にセンサを取り出すセンサ取り出し具とを備える。センサ取り出し具は、細長い形状とし、その一端側を本体ケースの開口部に接続し、他端側をこの本体ケースの開口部において上下方向に回動自在とする。このセンサ取り出し具の他端側にセンサ接着部を設け、このセンサ接着部には、本体ケースの底面に対向する側に接着面を設ける。
【０００９】
以上のように本発明のセンサ収納容器は、その本体ケース内に横倒しで積層状態に収納したセンサの中で一番上のセンサを、細長いセンサ取り出し具の他端側に設けたセンサ接着部に接着させるものである。このため、使用者が、センサ取り出し具を上方向に回動させると、センサ接着部に接着させられた一番上のセンサだけが持ち上げられ、センサを一枚だけ本体ケースから取り出すことができる。
【図面の簡単な説明】
【００１０】
【図１】図１は、本発明の第１の実施の形態におけるセンサ収納容器の斜視図である。
【図２】図２は、本発明の第１の実施の形態におけるセンサ収納容器の断面図である。
【図３】図３は、本発明の第１の実施の形態におけるセンサ収納容器の上面図である。
【図４】図４は、本発明の第１の実施の形態におけるセンサ収納容器の斜視図である。
【図５】図５は、本発明の第２の実施の形態におけるセンサ収納容器の上面図である。
【図６】図６は、本発明の第２の実施の形態におけるセンサ収納容器の斜視図である。
【図７】図７は、本発明の第３の実施の形態におけるセンサ取り出し具およびセンサ収納容器の斜視図である。
【図８】図８は、本発明の第３の実施の形態におけるセンサ取り出し具およびセンサ収納容器の断面図である。
【図９】図９は、本発明の第３の実施の形態におけるセンサ取り出し具の斜視図である。
【図１０】図１０は、本発明の第３の実施の形態におけるセンサ取り出し具およびセンサ収納容器を上方から見た斜視図である。
【図１１】図１１は、本発明の第３の実施の形態におけるセンサ取り出し具およびセンサ収納容器の斜視図である。
【図１２】図１２は、本発明の第４の実施の形態におけるセンサ取り出し具の斜視図である。
【図１３】図１３は、本発明の第５の実施の形態におけるセンサ取り出し具の斜視図である。
【発明を実施するための形態】
【００１１】
（第１の実施の形態）
以下、本発明の第１の実施の形態におけるセンサ収納容器について、図面を用いて説明する。
【００１２】
図１に示すように、センサ収納容器１は、上面に長方形状の開口部２ａを有する直方体形状の本体ケース２と、この本体ケース２の開口部２ａを開閉自在に覆う蓋３とを備えている。このセンサ収納容器１は、本体ケース２の上面一端側に、本体ケース２と蓋３を接続する接続部４を有している。この接続部４はヒンジ構成となっているので、この接続部４を中心として蓋３は本体ケース２に対して開閉自在となっている。なお、本体ケース２、蓋３、接続部４は、合成樹脂で一体成型されている。
【００１３】
この本体ケース２の接続部４を設けていない他端側の内壁２ｂは、図２に示すように、本体ケース２の底面側よりも本体ケース２の上面側が外方側となる傾斜形状となっている。
【００１４】
そして、蓋３を閉じると、本体ケース２内は密閉された状態となり、この本体ケース２内の底面および側面に練り込まれた乾燥剤により、センサ収納容器１内部は乾燥した状態が保たれる。
【００１５】
この本体ケース２内には、複数の長板形状のセンサ５が横倒し状態で一列に積層されて収納される。なお、このセンサ５は、たとえば血糖値を測定するものであり、図１に示すように、一端側に測定装置（図示せず）に接続する接続端子６、他端側に血液を点着する点着部７を有している。また、センサ５は本体ケース２内に、点着部７を、本体ケース２の内壁２ｂ側にした状態で収納されている。
【００１６】
図３は、蓋３が開いた状態のセンサ収納容器１を上方から見た図である。本体ケース２内部の長手方向の長さは、収納されるセンサ５の長手方向の長さより大きく形成している。具体的には、センサ５の長手方向長さの１．３枚分としている。
【００１７】
さらに、本体ケース２内部の長手方向と直行する方向の幅は、センサ５の長手方向と直行する方向の幅の一枚分より大きく、２枚分より小さく形成している。より具体的には、センサ５の長手方向と直行する方向の幅の１．５枚分としている。
【００１８】
このため、本体ケース２内部には、複数の長板形状のセンサ５が、横倒し状態で一列に積層されて収納される。
【００１９】
このセンサ５を本体ケース２外に取り出すための細い長板形状のセンサ取り出し具８が、図１、図２に示すように、本体ケース２の開口部２ａ一端側に、持ち上げ具９を介して接続されている。このセンサ取り出し具８は、本体ケース２の開口部２ａ一端側に接続されていない他端側を、この本体ケース２の底部から開口部２ａの上方まで上下方向に回動自在としている。この他端側には、折り曲げ部１２を介してセンサ接着部１０を設け、このセンサ接着部１０には、本体ケース２の底面に対向する側の面に接着面１１を設けている。
【００２０】
センサ接着部１０のセンサ取り出し具８の長手方向に直行する方向の幅は、図３に示すように、センサ５に長手方向に直行する方向の幅一枚分よりも小さくする。具体的には、センサ５の長手方向と直行する方向の幅の０．５枚分としている。
【００２１】
また、図２に示すように、センサ取り出し具８の一端から他端までの長さを、センサ５の長手方向の長さより短くしている。このようにすることにより、センサ接着部１０は、横倒し状態で収納されたセンサ５のほぼ中央部の、接続端子６、点着部７でない部分に当接するように構成している。
【００２２】
なお、センサ取り出し具８を平板形状の弾性体としているため、センサ接着部１０は、センサ取り出し具８の弾性を利用して長板形状のセンサ５にしっかりと当接することができる。
【００２３】
なお、折り曲げ部１２は、センサ接着部１０を本体ケース２の底面とは反対側に持ち上げるように形成されているとともに、この折り曲げ部１２からセンサ接着部１０側を上下方向に回動自在としている。
【００２４】
そして、図２に示すように、弾性体のセンサ取り出し具８を本体ケース２の底面側に回動させると、センサ取り出し具８のセンサ接着部１０側が、本体ケース２の底面側を押えるように、折り曲げ部１２を形成している。このため、センサ５の収納枚数に関わらず、センサ取り出し具８の弾性を利用して、センサ接着部１０を、本体ケース２内に積層された一番上のセンサ５に適切に当接させることが出来る。
【００２５】
次に、センサ取り出し具８を本体ケース２の開口部２ａの一端側に、接続している持ち上げ具９について説明する。
【００２６】
この持ち上げ具９は、弾性体の平板形状で、その中央部に折り曲げ部１３を形成し、この折り曲げ部１３を挟む一方の固定部１４ａを本体ケース２の一端側の内壁２ｃの開口部２ａ側に接着する。また、折り曲げ部１３を挟む他方側を本体ケース２内方側に折り曲げて持ち上げ取手１４ｂとしている。
【００２７】
そして、この持ち上げ取手１４ｂには、本体ケース２の底面に対向する面に、センサ取り出し具８を接着連結している。
【００２８】
このため、持ち上げ具９の持ち上げ取手１４ｂが折り曲げ部１３を基点にして上下方向に回動し、この回動に連動して、センサ取り出し具８のセンサ接着部１０が、本体ケース２の底部から開口部２ａ上方まで上下方向に回動する。
【００２９】
なお、持ち上げ取手１４ｂは、本体ケース２の開口部２ａ上に配置され、図１に示すように、蓋３が開放された状態では、持ち上げ取手１４ｂは、持ち上げ具９の弾性により本体ケース２の開口部２ａよりも大きく持ち上がった状態となる。
【００３０】
そして、蓋３を閉じると、この持ち上げ具９の持ち上げ取手１４ｂは、図２に示すように、蓋３に押されて折り曲げ部１３を基点にして折り曲がり、弾性体である持ち上げ具９は、センサ収納容器１内部で蓄力された状態で収納される。
【００３１】
以上の構成において、以下に、本実施の形態におけるセンサ収納容器の使用方法について説明する。
【００３２】
まず使用者は、図２に示すように、蓋３により閉成されたセンサ収納容器１から、図１に示すように、蓋３を回動させて、センサ収納容器１を開ける。
【００３３】
この時、センサ収納容器１内部で蓄力された状態で収納されていた持ち上げ具９は、蓋３を開けることにより、図１に示すように、本体ケース２の開口部２ａ上方へと持ち上がる。この時、持ち上げ具９における持ち上げ取手１４ｂは、本体ケース２の開口部２ａよりも上方に大きく持ち上がった状態となる。さらに、持ち上げ具９に接続されたセンサ取り出し具８が、持ち上げ具９の動きに連動して本体ケース２の開口部２ａ上方へと持ち上がる。
【００３４】
次に、使用者は上方に持ち上がった持ち上げ取手１４ｂを、たとえば人差し指を用いて下方に押える。すると、持ち上げ取手１４ｂに接続されたセンサ取り出し具８が下方に回動し、センサ接着部１０に設けた接着面１１が、本体ケース２内に積層された状態で収納されている複数枚のセンサ５の内、最上部の一枚の上面に押し付けられる。
【００３５】
これにより、接着面１１とセンサ５の最上部の一枚が接着され、この状態で、持ち上げ取手１４ｂを、たとえば親指と人差し指で摘んで上方に回動させると、図４に示すように、センサ取り出し具８が上方に回動する。そして、収納された複数枚のセンサ５から、センサ接着部１０の接着面１１と接続端子６、点着部７でない部分で接着した一番上のセンサ５だけが、本体ケース２の外部へと持ち上がる。
【００３６】
この時、本体ケース２の他端側の内壁２ｂは、図２に示すように、本体ケース２の底面側よりも本体ケース２の上面側が外方側となる傾斜形状となっている。この他端側の内壁２ｂの傾斜により、持ち上げられたセンサ５の端部が本体ケース２に引っかかることがなく、センサ５を一枚だけ本体ケース２から取り出すことができる。
【００３７】
またこの時、センサ取り出し具８の接着面１１が、図３、図４に示すように、センサ５の接続端子６と点着部７のどちらにも接触しないことにより、センサ取り出し具８の接着面１１が、血糖値の測定に影響を与えることはない。
【００３８】
その結果として、本実施の形態におけるセンサ収納容器１は、収納された複数枚のセンサ５の中から、センサ５を一枚だけ本体ケース２から取り出すことができる。
【００３９】
（第２の実施の形態）
本発明の第２の実施の形態におけるセンサ収納容器１５を、図５、図６に示す。
【００４０】
この図５、図６に示すように、センサ収納容器１５は、第１の実施の形態におけるセンサ収納容器１の長手方向と直交する方向の幅を大きくし、センサ５を複数列に並べて収納するようにしている。より具体的には、センサ収納容器１５において、本体ケース１６内部の長手方向と直行する方向の幅を、センサ５の長手方向と直行する方向の幅の３．５枚分としている。
【００４１】
したがって、より多くのセンサ５を本体ケース１６内に収納できる。
【００４２】
このように複数列で収納したセンサ５を容易に取り出すために、本実施の形態においては、第１の実施の形態のセンサ接着部１０に対応するセンサ接着部１７の、センサ取り出し具８の長手方向に直交する方向の幅を、センサ５の長手方向に直交する方向の幅よりも大きくしている。具体的には、センサ５の長手方向と直行する方向の幅の３枚分としている。
【００４３】
なお、センサ接着部１７に対応して、第１の実施の形態の接着面１１に対応する接着面１８の大きさも拡張し、センサ接着部１７とほぼ同じ大きさとしている。
【００４４】
したがって、使用者は蓋３が開いた状態で、上方に持ち上がった持ち上げ具９の持ち上げ取手１４ｂを、まず、たとえば人差し指を用いて下方に押える。すると、持ち上げ取手１４ｂに接続されたセンサ取り出し具８の接着面１８が、本体ケース１６内に複数列で積層された状態で収納されている複数枚のセンサ５の内、最上部の複数枚のセンサ５の上面に同時に押し付けられる。
【００４５】
これにより、接着面１８とセンサ５の最上部の複数枚が接着し、持ち上げ取手１４ｂを、たとえば親指と人差し指で摘み、回動させて持ち上げることで、図６に示すように、複数枚のセンサ５が本体ケース１６の外部に持ち上げられる。
【００４６】
使用者は、この持ち上げられた複数枚のセンサ５の中から、最も取り出しやすい一枚を選び、取り出すことができる。
【００４７】
その結果として、本実施の形態におけるセンサ収納容器１５は、センサ５を一枚だけ本体ケース１６から取り出すことができる。
【００４８】
（第３の実施の形態）
本発明の第３実施の形態においては、図７、図８に示すごとく、センサ２４が円筒状のセンサ収納容器１９に収納される。そして、このセンサ収納容器１９から、センサ２４を一枚だけ容易に取り出すことができるようにしている。
【００４９】
以下、本発明の第３の実施の形態を、図面を用いて説明する。
【００５０】
図７に示すように、センサ収納容器１９は、上面に開口部２０ａを有する有底円筒状の容器２０と、この容器２０の上面縁に設けた蓋体２１とを備えている。またセンサ収納容器１９は、図８に示すように、容器２０と蓋体２１を接続する接続部２２を備えている。この接続部２２は、ヒンジ構成となっているので、この接続部２２を中心として蓋体２１は容器２０の上面の開口部２０ａに対して開閉自在となっている。なお、容器２０、蓋体２１、接続部２２は、合成樹脂で一体成形されている。
【００５１】
容器２０の内面には、上部から下部にかけて、上端が開口した円筒状の乾燥剤層２３が一体に設けられている。この乾燥剤層２３は、軟質樹脂に乾燥剤を含有させて形成している。
【００５２】
そしてこの状態で容器２０内、具体的には乾燥剤層２３で囲まれた部分には、たとえば血糖値の測定に使用される長板形状のセンサ２４が、直立状態で複数枚収納される。
【００５３】
この血糖値を測定するセンサ２４の、図８で示す下端側には、測定装置（図示せず）に挿入する接続端子２５が設けられている。またセンサ２４の、図８で示す上端側には、血液を点着する点着部２６が設けられている。
【００５４】
センサ２４の長手方向の長さは、容器２０の直径より大きくし、このセンサ２４の長さよりも、容器２０の円筒軸方向の長さである容器２０の深さを大きくしている。このため、センサ２４が容器２０内で倒れたり、上下が逆になったりすることがなく、センサ２４は、図８に示すように、接続端子２５を下にして容器２０の底面から立ち上がった状態で容器２０内に収納される。
【００５５】
使用者は、このように容器２０内にセンサ２４を複数枚収納させた状態で、容器２０を持ち歩き、血糖値の測定の時に、容器２０内から一枚のセンサ２４を取り出して使用する。
【００５６】
センサ２４の取り出しを容易にするために、本発明の第３の実施の形態においては、図７、図８に示すように、容器２０内にセンサ取り出し具２７を挿入させている。
【００５７】
このセンサ取り出し具２７は、図９に示すように、細い長板形状の取り出し具本体２８と、この取り出し具本体２８の図９で示す下端側に設けた非接着部２９と、取り出し具本体２８の図９で示す上端側に設けたツマミ部３０を備えている。
【００５８】
また、取り出し具本体２８の表面には、下端の非接着部２９よりもツマミ部３０側に接着部３１を設けている。
【００５９】
さらに、取り出し具本体２８の上端から接着部３１側に所定寸法離れた位置には、取り出し具本体２８の長手方向に直交する方向に、折り曲げ部３２を形成している。なお、この折り曲げ部３２から上端側を折り曲げてツマミ部３０としている。
【００６０】
そして、取り出し具本体２８の、ツマミ部３０が傾斜する方向の表面に、接着部３１を設けている。
【００６１】
なお、取り出し具本体２８は合成樹脂（弾性体の一例）で、薄板状に形成されている。
【００６２】
この取り出し具本体２８の下端側に設けた非接着部２９では、取り出し具本体２８の長手方向に直交する方向の寸法、すなわち図９における左右方向である幅方向の寸法（以下、幅方向の寸法と称す）を、この非接着部２９の長手方向の寸法よりも小さくしている。
【００６３】
また、この非接着部２９よりもツマミ部３０側に設けた接着部３１では、幅方向の寸法を、非接着部２９の、幅方向の寸法よりも大きくしている。
【００６４】
さらにまた、ツマミ部３０では、幅方向の寸法を、接着部３１の、幅方向の寸法よりも大きくしている。
【００６５】
つまり、幅方向の寸法は、ツマミ部３０、接着部３１、非接着部２９の順に小さく形成している。
【００６６】
また、非接着部２９の長手方向の寸法は、図８に示すように、センサ２４に設けられた接続端子２５の長手方向の寸法よりも大きくしている。
【００６７】
そして、図８に示すように、容器２０内に、センサ２４を、接続端子２５を下にして複数枚収納し、さらに、センサ取り出し具２７を、非接着部２９を下にして収納する。その後、蓋体２１にて容器２０の開口部２０ａを閉成して密封する。
【００６８】
この時、センサ取り出し具２７の下端から折り曲げ部３２までの寸法は、容器２０の高さと同じ、もしくは低くする。なお、本実施の形態においては、図８に示すように、センサ取り出し具２７の下端から折り曲げ部３２までの寸法は、容器２０の高さとほぼ同じ高さとしている。
【００６９】
そして、このような構成とすることにより、センサ取り出し具２７の折り曲げ部３２より上方のツマミ部３０の上端は、容器２０の高さよりも上方に位置することとなっている。
【００７０】
このため、図７に示すように、蓋体２１を開いた状態では、ツマミ部３０が容器２０の開口部２０ａよりも上方に現れるため、使用者は、たやすくツマミ部３０を摘むことができる。
【００７１】
また、図８に示すように、蓋体２１は、容器２０側に開口部２０ａを有する有底の筒状体となっている。この蓋体２１で容器２０を閉成する時には、蓋体２１は、その内底面２１ａをセンサ取り出し具２７のツマミ部３０の上端部に当接させ、このツマミ部３０を折り曲げ部３２を支点に押し下げることとなる。センサ取り出し具２７は弾性体で形成しているため、ツマミ部３０は、蓋体２１内で蓄力された状態で折り曲げられる。
【００７２】
以上の構成において、以下に、本実施の形態におけるセンサ取り出し具２７の使用方法について説明を行う。
【００７３】
まず使用者は、図８で示す蓋体２１で閉成された容器２０から、図７で示すように蓋体２１を回動させて、容器２０を開ける。
【００７４】
この時、センサ取り出し具２７のツマミ部３０は、上述のごとく蓄力された状態で折り曲げられているので、容器２０を開けることにより、ツマミ部３０が開放され、上方へと持ち上がる。このため、使用者は、たとえば親指と人差し指を用いて、このツマミ部３０を容器２０の上方で容易に摘むことができる。
【００７５】
次に、使用者は、図１０に示すように、容器２０の開口部２０ａが自分側になるように、容器２０を傾ける。すると、センサ２４は、容器２０の底面から内壁面に沿って、傾けた側（図１０においては下側）に積層した状態となる。
【００７６】
この時上述したように、幅方向の寸法は、ツマミ部３０、接着部３１、非接着部２９の順に小さく形成している。このため、取り出し具本体２８を容器２０内に挿入した時でも、容器２０の底面に積層したセンサ２４の積層状態が目視にて、容易に観察できるものとなっている。
【００７７】
その後、使用者は、最も取り出し易いセンサ２４を見つけた後、ツマミ部３０を操作して、接着部３１を目的のセンサ２４に押し当てる。この時、センサ取り出し具２７は弾性体で構成されているため、取り出し具本体２８はかすかに曲がり、適切な押し圧にて接着部３１を目的のセンサ２４の上面に押し当てることができる。
【００７８】
また本実施の形態においては、センサ取り出し具２７の下方に設けた非接着部２９の長手方向の寸法を、センサ２４の下方に設けた接続端子２５の長手方向の寸法よりも大きくしている。このため、接着部３１が接続端子２５に接着されることはない。
【００７９】
さらに、非接着部２９の幅方向の寸法は、接着部３１よりも小さくしている。このため、非接着部２９と接着部３１の接続部に段差が生じるので、使用者は、容器２０内においても接着部３１の位置を容易に把握できるものとなる。
【００８０】
さらにまた、この接着部３１の幅方向の寸法は、センサ２４の長手方向に直交する方向の寸法とほぼ同じとしている。このため、接着部３１にはセンサ２４を一枚だけ接着させることができる。
【００８１】
さらに、この接着部３１は、取り出し具本体２８の、ツマミ部３０が傾斜する方向の面のみに設け、反対側の面には接着部３１を設けていない。つまり、取り出し具本体２８の一方の面のみに接着部３１を設けている。このため、接着部３１に二枚のセンサ２４が接着されることはない。
【００８２】
その後、接着部３１にセンサ２４を接着させた状態から、使用者は、ツマミ部３０を操作することにより、接着部３１に接着したセンサ２４を一枚だけ持ち上げる事ができる。
【００８３】
最後に、容器２０から取り出し具本体２８を引き抜くと、図１１に示すように、一枚のセンサ２４が接着部３１に接着された状態で現れることとなる。
【００８４】
その結果として、センサ２４を一枚だけ容器２０から取り出すことができる。
【００８５】
なお本実施の形態においては、容器２０内にセンサ取り出し具２７を収納した状体で説明を行ったが、容器２０とセンサ取り出し具２７を別々に持ち運び、センサ２４を取り出す時に、センサ取り出し具２７を使用しても良い。
【００８６】
この時には、取り出し具本体２８を、その非接着部２９側から容器２０に挿入すれば、接着部３１にセンサ２４を接着させた状態で、このセンサ２４を一枚だけ容器２０から取り出すことができる。
【００８７】
以上のように本実施の形態のセンサ取り出し具２７は、長形状の取り出し具本体２８と、この取り出し具本体２８の一端側に設けた非接着部２９と、取り出し具本体２８の他端側に設けたツマミ部３０とを備える。そして、取り出し具本体２８の非接着部２９よりもツマミ部３０側に接着部３１を設けた。この構成により、センサ収納容器１９からセンサ２４を一枚だけ容器２０から取り出すことができる。
【００８８】
すなわち、本実施の形態のセンサ取り出し具２７は、その取り出し具本体２８の非接着部２９よりもツマミ部３０側に接着部３１を設ける。この構成により、センサ収納容器１９からセンサ２４を取り出すときには、この取り出し具本体２８を、その非接着部２９側からセンサ収納容器１９に挿入すれば、接着部３１にセンサ２４を接着させて持ち上げることができる。この持ち上げた状態で、センサ２４をセンサ収納容器１９から一枚だけ容易に取り出すことができるようになる。
【００８９】
（第４の実施の形態）
図１２に、本発明の第４の実施の形態におけるセンサ取り出し具２７ａを示す。この図１２に示すように、センサ取り出し具２７ａは、第３の実施の形態におけるセンサ取り出し具２７の取り出し具本体２８を細長い棒形状としたものである。より具体的には、取り出し具本体２８ａの中部から下端の非接着部２９を、その断面が四角形状の棒体で形成している。
【００９０】
つまり、本実施の形態においては、取り出し具本体２８ａの中部から下端を細く形成した。より具体的には、たとえば、取り出し具本体２８ａの中部から下端の幅を、センサ５の幅の０．２５枚分としている。
【００９１】
このため、使用者が、取り出し具本体２８ａを容器２０内に挿入した時に、取り出し具本体２８ａが細いので、容器２０の底面に積層したセンサ２４の積層状態がさらに確認しやすいものとなる。したがって、使用者は、接着部３１ａをセンサ２４に容易に当接させることができる。
【００９２】
その後、使用者は、取り出し具本体２８ａ接着部３１ａにセンサ２４を接着させた状態で、センサ２４を持ち上げる。その状態で、取り出し具本体２８ａを容器２０外に引き抜いて、接着部３１ａからセンサ２４を取り外す。この時も、取り出し具本体２８ａを細く形成しているため、取り出し具本体２８ａがセンサ２４取り外しの邪魔になることはなく、使用者は、その指でセンサ２４をしっかりと摘むことができる。したがって、センサ２４を取り出し具本体２８ａの接着部３１ａから、容易に引きはがすことができる。
【００９３】
その結果として、センサ２４の取り外し時においても、使い勝手の良いものとなる。
【００９４】
（第５の実施の形態）
図１３に、本発明の第５の実施の形態におけるセンサ取り出し具２７ｂを示す。この図１３に示すように、センサ取り出し具２７ｂは、第４の実施の形態におけるセンサ取り出し具２７ａの取り出し具本体２８ａを、細長い円柱状としたものである。
【００９５】
このため、取り出し具本体２８ｂに設けた接着部３１ｂは、曲面で形成される。したがって、使用者は接着部３１ｂの曲面の任意の位置に、センサ２４を当接させれば良いものとなり、その結果として使い勝手の良いものとなる。
【００９６】
さらに、接着部３１ｂは、取り出し具本体２８ｂの表面に、その円柱形状に沿って一周させた状態で形成した。このため、当接させることのできる面積が大きくなり、接着部３１ｂの曲面をセンサ２４に容易に当接させることができる。
【００９７】
なお本実施の形態においては、取り出し具本体２８ｂを、その断面が円となる円柱で形成したが、断面が楕円形状となる柱体を用いても良い。
【００９８】
また、第４の実施の形態４および第５の実施の形態においても、センサ取り出し具２７ａ、センサ取り出し具２７ｂの下端から折り曲げ部３２までの寸法を、たとえば、図１の容器２０の高さと同じ、もしくは低くしている。具体的には、第４の実施の形態および第５の実施の形態においても、センサ取り出し具２７ａ、センサ取り出し具２７ｂの下端から折り曲げ部３２までの寸法は、容器２０の高さとほぼ同じ高さとしている。
【００９９】
そして、このような構成とすることにより、センサ取り出し具２７ａ、センサ取り出し具２７ｂの折り曲げ部３２より上方のツマミ部３０の上端は、容器２０の高さよりも上方に位置することとなっている。
【０１００】
このため、図７に示すように、蓋体２１を開いた状態では、センサ取り出し具２７ａ、センサ取り出し具２７ｂのツマミ部３０が容器２０の開口部２０ａよりも上方に現れるため、使用者は、たやすくツマミ部３０を摘むことができる。
【０１０１】
以上のように本発明のセンサ収納容器は、長板形状のセンサを横倒し状態で収納する上面に開口部を有する本体ケースの開口部を開閉自在に覆う蓋と、本体ケース外にセンサを取り出すセンサ取り出し具とを備える。センサ取り出し具は、細長い形状とし、その一端側を本体ケースの開口部に接続し、他端側をこの本体ケースの開口部おいて上下方向に回動自在とする。このセンサ取り出し具の他端側にセンサ接着部を設け、このセンサ接着部には、本体ケースの底面に対向する側に接着面を設ける。この構成により、本発明のセンサ収納容器は、センサを一枚だけ容易に取り出すことができる。
【０１０２】
すなわち、本発明のセンサ収納容器は、その本体ケース内に横倒しで積層状態に収納したセンサの中で一番上のセンサを、細長いセンサ取り出し具の他端側に設けたセンサ接着部に接着させるものである。このため、使用者が、センサ取り出し具を上方向に回動させると、センサ接着部に接着させられた一番上のセンサだけが持ち上げられる。
【０１０３】
その結果として、センサを一枚だけ本体ケースから取り出すことができる。
【産業上の利用可能性】
【０１０４】
したがって、本発明は、センサ取り出し具およびそれを収納したセンサ収納容器として、広く活用が期待されるものである。
【符号の説明】
【０１０５】
１  センサ収納容器
２  本体ケース
２ａ  開口部
２ｂ  内壁
２ｃ  内壁
３  蓋
４  接続部
５  センサ
６  接続端子
７  点着部
８  センサ取り出し具
９  持ち上げ具
１０  センサ接着部
１１  接着面
１２  折り曲げ部
１３  折り曲げ部
１４ａ  固定部
１４ｂ  持ち上げ取手
１５  センサ収納容器
１６  本体ケース
１７  センサ接着部
１８  接着面
１９  センサ収納容器
２０  容器
２０ａ  開口部
２１  蓋体
２２  接続部
２３  乾燥剤層
２４  センサ
２５  接続端子
２６  点着部
２７  センサ取り出し具
２７ａ  センサ取り出し具
２７ｂ  センサ取り出し具
２８  取り出し具本体
２８ａ  取り出し具本体
２８ｂ  取り出し具本体
２９  非接着部
３０  ツマミ部
３１  接着部
３１ａ  接着部
３１ｂ  接着部
３２  折り曲げ部
【図１】
2013073117.tif 000003
【図２】
2013073117.tif 000004
【図３】
2013073117.tif 000005
【図４】
2013073117.tif 000006
【図５】
2013073117.tif 000007
【図６】
2013073117.tif 000008
【図７】
2013073117.tif 000009
【図８】
2013073117.tif 000010
【図９】
2013073117.tif 000011
【図１０】
2013073117.tif 000012
【図１１】
2013073117.tif 000013
【図１２】
2013073117.tif 000014
【図１３】
2013073117.tif 000015
【手続補正書】
【提出日】平成26年4月24日(2014.4.24)
【手続補正１】
【補正対象書類名】明細書
【補正対象項目名】００１７
【補正方法】変更
【補正の内容】
【００１７】
さらに、本体ケース２内部の長手方向と直交する方向の幅は、センサ５の長手方向と直交する方向の幅の一枚分より大きく、２枚分より小さく形成している。より具体的には、センサ５の長手方向と直交する方向の幅の１．５枚分としている。
【手続補正２】
【補正対象書類名】明細書
【補正対象項目名】００２０
【補正方法】変更
【補正の内容】
【００２０】
センサ接着部１０のセンサ取り出し具８の長手方向に直交する方向の幅は、図３に示すように、センサ５に長手方向に直交する方向の幅一枚分よりも小さくする。具体的には、センサ５の長手方向と直交する方向の幅の０．５枚分としている。
【手続補正３】
【補正対象書類名】明細書
【補正対象項目名】００４０
【補正方法】変更
【補正の内容】
【００４０】
この図５、図６に示すように、センサ収納容器１５は、第１の実施の形態におけるセンサ収納容器１の長手方向と直交する方向の幅を大きくし、センサ５を複数列に並べて収納するようにしている。より具体的には、センサ収納容器１５において、本体ケース１６内部の長手方向と直交する方向の幅を、センサ５の長手方向と直交する方向の幅の３．５枚分としている。
【手続補正４】
【補正対象書類名】明細書
【補正対象項目名】００４２
【補正方法】変更
【補正の内容】
【００４２】
このように複数列で収納したセンサ５を容易に取り出すために、本実施の形態においては、第１の実施の形態のセンサ接着部１０に対応するセンサ接着部１７の、センサ取り出し具８の長手方向に直交する方向の幅を、センサ５の長手方向に直交する方向の幅よりも大きくしている。具体的には、センサ５の長手方向と直交する方向の幅の３枚分としている。
【手続補正５】
【補正対象書類名】明細書
【補正対象項目名】００７４
【補正方法】変更
【補正の内容】
【００７４】
この時、センサ取り出し具２７のツマミ部３０は、上述のごとく蓄力された状態で折り曲げられているので、容器２０を開けることにより、ツマミ部３０が解放され、上方へと持ち上がる。このため、使用者は、たとえば親指と人差し指を用いて、このツマミ部３０を容器２０の上方で容易に摘むことができる。
【手続補正６】
【補正対象書類名】明細書
【補正対象項目名】００９０
【補正方法】変更
【補正の内容】
【００９０】
つまり、本実施の形態においては、取り出し具本体２８ａの中部から下端を細く形成した。より具体的には、たとえば、取り出し具本体２８ａの中部から下端の幅を、センサ２４の幅の０．２５枚分としている。
【手続補正７】
【補正対象書類名】明細書
【補正対象項目名】００９８
【補正方法】変更
【補正の内容】
【００９８】
また、第４の実施の形態および第５の実施の形態においても、センサ取り出し具２７ａ、センサ取り出し具２７ｂの下端から折り曲げ部３２までの寸法を、たとえば、図７の容器２０の高さと同じ、もしくは低くしている。具体的には、第４の実施の形態および第５の実施の形態においても、センサ取り出し具２７ａ、センサ取り出し具２７ｂの下端から折り曲げ部３２までの寸法は、容器２０の高さとほぼ同じ高さとしている。
【国際調査報告】
2013073117.tif 000016
2013073117.tif 000017
2013073117.tif 000018
2013073117.tif 000019